(57)【要約】【課題】  空気中に浮遊する粉塵、細菌、ウイルスなどの病原菌、更には花粉などの極めて微細な有害物質や汚染物質の吸入を効果的に防止でき、風邪や花粉症などの予防に役立つマスクであって、高機能且つ高価な素材を用いることなく製造できるマスクを提供する。【解決手段】  鼻孔及び口を覆う通気性を有する布またはシートなどからなるマスク本体１２に、マスク使用時に液体状で、且つ沸点が１２０℃以上である液体を塗布または含浸させた通気性を有する布またはシートなどからなる吸着層１４を設ける、マスク本体１２に更に脱臭層１４を設ける。【選択図】  図３
2005218613.tif 000002
【特許請求の範囲】
【請求項１】
鼻孔及び口を覆う通気性を有する布またはシートなどからなるマスク本体に、マスク使用時に液体状で、且つ沸点が１２０℃以上である液体を塗布または含浸させた通気性を有する布またはシートなどからなる吸着層を設けてなるマスク。
【請求項２】
前記マスク本体の通気性を有する布またはシートなどの間に、前記液体を塗布または含浸させた布またはシートなどを挟んで吸着層とした請求項１記載のマスク。
【請求項３】
前記マスク本体にポケットを設け、該ポケットに前記液体を塗布または含浸させた布またはシートを装着して吸着層とした請求項２記載のマスク。
【請求項４】
前記液体に、殺菌剤、抗菌剤及び抗ウイルス剤の少なくとも１種を含有させてなる請求項１〜３のいずれかに記載のマスク。
【請求項５】
前記マスク本体に脱臭層を更に設けてなる請求項１〜４のいずれかに記載のマスク。
【請求項６】
前記吸着層に、無機脱臭剤を用いてなる請求項５記載のマスク。
【請求項７】
前記無機脱臭剤を通気性を有する袋体に充填してマスク本体の布またはシートなどに挟んで脱臭層とした請求項６記載のマスク。
【請求項８】
前記無機脱臭剤を充填した袋体を、マスク本体に設けたポケットに装着して脱臭層とした請求項７記載のマスク。
【発明の詳細な説明】
【技術分野】
【０００１】
本発明は、マスクに関し、更に詳しくは、空気中に浮遊する粉塵、細菌、ウイルスなどの病原菌など、更には花粉など、汚染物質、有害物質の吸入を効果的に防止でき、防塵、防臭、病気の感染の予防や花粉症の発症予防などに有効なマスクに関する。
【背景技術】
【０００２】
近年、大気の汚染、建築材料や塗料に含まれる有機溶剤、新型ウイルスの発生、スギ、ヒノキなどの花粉の大量発生などにより、空気中に浮遊する、人体に悪影響を及ぼすおそれのある有害物質や汚染物質の量が増大し、シックハウス症候群、サーズなどのインフルエンザ、花粉症などが社会問題となっており、前記有害物質や汚染物質の吸入を防止するため、マスクの必要性、重要性が高まってきている。
【０００３】
現在市販されている一般用のマスクは、鼻孔及び口を覆う本体がガーゼで出来ており、その両側にゴム紐などからなる伸縮性を有する耳掛け部が設けられ、ガーゼマスクといわれるものである。また、本体を不織布などで作成した、使い捨てタイプのマスクも市販されている。これらのマスクは、呼吸時に吸気が前記マスク本体のガーゼや不織布を通過する際に、該吸気に含まれる空気中の粉塵、病原菌、花粉などの有害物質や汚染物質が前記ガーゼや不織布によりろ過されて、鼻孔や口から吸入されるのを防止するものである。このため、従来は鼻孔及び口を覆う本体のガーゼや不織布の目を出来るだけ小さくして、前記のような空気中の有害物質などを出来るだけ通さないような工夫がなされてきた。
【０００４】
また、前記のような空気中の物質が呼吸時に吸気とともに吸入されるのを防止する目的以外に、風邪、その他の病気の予防、花粉症の予防などを目的として、マスク本体に水（湿気）や薬剤を含ませておき、湿気や薬剤を吸気とともに吸入するようにしたマスクも提案されている。
【０００５】
例えば、マスク本体のガーゼを濡らしておいて吸気を加湿することで風邪などを予防する、ぬれマスク法が提案されている（非特許文献１、２参照。）。また、薬効植物乾燥体などの薬物を充填した収容体をマスク本体に重ね合わせて取着したマスク（特許文献１参照。）、ガーゼに薬物を含ませたり、ガーゼの間に作ったポケットに薬を含ませたものを入れた薬用マスク（特許文献２参照。）、マスク本体のガーゼにサイクロデキストリンに揮発性薬剤を包接させた粉体を付着させた揮発性薬剤徐放マスク(特許文献３参照。）。メントールを含有させた微多孔性中空繊維からなるメントール徐放化保持体を設けたメントール含有マスク（特許文献４、５等参照。）、花粉症の改善効果があるプロポリエキス液を含浸させた布をガーゼで包んで使用する花粉症用衛生マスク（特許文献６参照。）、水や薬剤を染み込ませた含水物を多数の通気孔を設けたビニール袋に収納してマスク本体に出し入れ可能とした湿気吸入マスク（特許文献７参照。）ミントエッセンス、メントール、ヒノキチオールなどの香料溶液を着用直前にマスクの内側に噴霧し、鼻孔を覆うようにした、香気による鼻孔の不快感解消方法（特許文献８参照。）、メントール、エタノールなどの揮発性薬剤を吸湿性のあるシートに含浸させ、これを孔を開けた包材で包装し、これを装着したマスク（特許文献９参照。）、エタノール、ブチルアルコール、メントールなどの１価のアルコール、揮発性の硫化物、酸、塩基化合物、トリハロメタンなど、上気道粘膜細胞を生理的に機能不全させる揮発性化合物をマスクにより吸入して風邪、花粉症を治療する方法（特許文献１０参照。）なども提案されている。
【０００６】
しかしながら、空気中に浮遊している前記のような各種有害物質や汚染物質は非常に微細である。例えば、花粉の場合、スギ花粉の粒径は３０〜４０μｍ、ブタクサの花粉は１８〜２０μｍ、ヒノキ花粉は０．５μｍ〜、更にイネ科植物の花粉は３０〜５０μｍであり、一般的なウイルスは大きさは０．０２〜０．３μｍ程度であり、インフルエンザウイルスの場合は０．１１μｍ程度、また結核菌は幅０．３〜０．６μｍ、長さ１〜４μｍである。また、線香の煙中には１〜２μｍ程度の微粒子が含まれている。このような微細な有害物質の吸入を、マスクのガーゼや不織布などの目を細かくすることで効果的に防止することは困難であり、出来るとしても非常に高機能な素材が必要でマスクの値段も高くなる。しかし、鼻孔や口を覆うガーゼや不織布の目を細かくすることには技術的に限界があるだけでなく、ガーゼや不織布の目をあまりに細かくすると、通気性が極端に低下して息苦しくなるといった問題がある。
【０００７】
ガーゼなどのマスク本体に水分や薬剤を含ませたものは、いずれも、呼吸により前記水分や薬剤を揮散させて吸気とともに吸入することで風邪などの病気や花粉症などの予防あるいは治療を行うものであり、薬剤としては、前記のような揮発性成分が用いられる。従って、これら従来のマスクでは、湿気や薬剤を吸入することはできても、空気中に浮遊する前記のような極めて微細な有害物質や汚染物質の吸入を防止するという点では十分な効果は期待できない。
【０００８】
【特許文献１】実開平１−９０５５３号公報
【特許文献２】実開平１−１３３９４１号公報
【特許文献３】実公平２−３９４７０号公報
【特許文献４】特公平３−８７８１号公報
【特許文献５】特開平３−１４３４５７号公報
【特許文献６】特開平５−７６５９７号公報
【特許文献７】実開平６−３９０２１号公報
【特許文献８】特開平７−３９５７４号公報
【特許文献９】実用新案登録第３０６６２１５号公報
【特許文献１０】特開２００２−３００００号公報
【非特許文献１】臼田篤伸著、「さらば、かぜ薬」、第１版、株式会社三一書房、１９９４年１２月１５日、ｐ２１３−２４０
【非特許文献２】臼田篤伸著、「こんなに効くぞぬれマスク」、第１版、社団法人農山漁村文化協会、１９９９年３月５日、ｐ１２３−１４７
【発明の開示】
【発明が解決しようとする課題】
【０００９】
本発明は、上記のような従来のマスクの問題点に鑑み、空気中に浮遊する粉塵、細菌、ウイルスなどの病原菌など、更には花粉などの極めて微細な有害物質や汚染物質の吸入を効果的に防止でき、風邪や花粉症などの予防に役立つマスクであって、高機能且つ高価な素材を用いることなく製造できるマスクを提供することを目的とするものである。
【課題を解決するための手段】
【００１０】
本発明に係るマスクは、鼻孔及び口を覆う通気性を有する布またはシートなどからなるマスク本体に、マスク使用時に液体状で、且つ沸点が１２０℃以上の液体を塗布または含浸させた通気性を有する布またはシートなどからなる吸着層を設けてなる。
【００１１】
上記のような本発明に係るマスクによれば、空気中に浮遊している有害物質が、マスク本体を構成する通気性を有する布やシートの目より微細であっても、該マスク本体に設けた吸着層を通過する際に、該吸着層の液体に吸着されることで、鼻孔や口から前記有害物質が吸入されることを防止できる。従って、本発明のマスクでは、前記吸着層に塗布または含浸されている液体は、マスク使用時に液体である必要があり、例えば極寒環境下で使用する場合には、前記液体として、そのような極寒環境下でも凍結せずに液体状態を維持可能な融点を有しているものを用いる必要がある。また、前記液体は、その沸点が１２０℃以上で低揮発性であることから、呼吸時にマスク本体を通過する空気によっても揮散され難く、前記のような有害物質や汚染物質の吸着効果が長時間にわたって維持される。
【００１２】
前記マスク本体の吸着層は、マスク本体の通気性を有する布またはシートなどの間に、前記液体を塗布または含浸させた布またはシートなどを挟むことで設けてもよい。更に、前記マスク本体にポケットを設け、該ポケットに前記液体を塗布または含浸させた布またはシートを装着して吸着層としてもよい。
【００１３】
前記吸着層の液体に、殺菌剤、抗菌剤及び抗ウイルス剤の少なくとも１種を含有させておけば、前記殺菌剤、抗菌剤、抵ウイルス剤などにより前記液体に吸着された細菌やウイルスなどを無害化することができる。
【００１４】
また、液体含浸布使用の前記吸着層で脱臭効果も大きく改善するが、更に前記マスク本体に無機脱臭剤を併用すれば、空気中の臭気成分なども前記脱臭層に吸着され、吸気とともに吸入されることがない。前記脱臭層には、無機脱臭剤を用いることができる。前記無機脱臭剤を用いる場合には、通気性を有する袋体に充填してマスク本体の布またはシートなどに挟んで脱臭層とすることができる。更に、前記無機脱臭剤を充填した袋体を、マスク本体に設けたポケットに装着するようにしてもよい。
【発明の効果】
【００１５】
上記のような本発明に係るマスクによれば、空気中に浮遊している有害物質や汚染物質が、マスク本体を構成する通気性を有する布やシートの目より微細であっても、該マスク本体に設けた吸着層を通過する際に、該吸着層の液体に吸着されることで、鼻孔や口から前記有害物質が吸入されることを防止でき、且つ前記効果が長時間にわたって維持される。従って、このマスクを着用することで、空気中に浮遊する粉塵、細菌、ウイルスなどの病原菌、花粉などの有害物質や汚染物質を吸気とともに吸入することを効果的に防止でき、風邪などの病気や花粉症などの予防に効果がある。また、本発明に係るマスクは、従来の一般的なガーゼマスクや不織布からなるマスクに前記吸着層を設けるだけで作製することができ、マスクの素材として特に高機能で高価なものを用いる必要がなく、高機能マスクを比較的廉価に製造することができる。
【００１６】
また、マスク本体の通気性を有する布またはシートなどの間に、前記液体を塗布または含浸させた布またはシートなどを挟むことで吸着層を有するマスクを簡単に製造することができる。更に、前記マスク本体にポケットを設け、該ポケットに前記液体を塗布または含浸させた布またはシートを装着して吸着層とすれば、吸着層を簡単に設けることができるだけでなく、吸着層を着脱したり、交換したりすることも可能となる。
【００１７】
前記吸着層の液体に、殺菌剤、抗菌剤及び抗ウイルス剤の少なくとも１種を含有させておき、前記殺菌剤、抗菌剤や抵ウイルス剤により前記液体に吸着された細菌やウイルスなどを無害化することで、細菌やウイルスに起因する病気の感染をより確実に防止することができる。
【００１８】
また、前記マスク本体に脱臭層を更に設けておけば、空気中の臭気成分なども前記脱臭層に吸着され、吸気とともに吸入されることがなく、防臭効果にも優れたマスクとなる。前記脱臭層に無機脱臭剤を用いれば、安価に脱臭層を設けることができる。更に、前記無機脱臭剤を通気性を有する袋体に充填し、これをマスク本体の布またはシートなどに挟んむだけで簡単に脱臭層を有するマスクを製造することができる。更に、前記無機脱臭剤を充填した袋体を、マスク本体に設けたポケットに装着するようにすれば、脱臭層を着脱したり、交換したりすることもできる。
【発明を実施するための最良の形態】
【００１９】
図１は、本発明に係るマスクの一実施の形態を示すものである。このマスク１は、鼻孔及び口を覆うマスク本体２両側に、一対の耳掛け部３、３を設けてあり、従来の一般的なマスクと同様の基本構成を有する。マスク本体２は、通気性を有する布またはシートなどからなる。マスク本体２を構成する布またはシートとしては、従来の一般的なマスクと同様にガーゼや不織布などを用いることができる。また耳掛け部３、３にも従来のマスクと同様にゴム紐などの伸縮性を有する材料を用いることができる。そして、マスク本体２の内部には、マスク使用時に液体で、且つ沸点が１２０℃以上の液体を塗布または含浸させた通気性を有する布またはシートなどからなる吸着層４を設けてなる。図例のマスク１では、マスク本体２を構成するガーゼ２ａ、２ａの間に、液体を塗布または含浸させた布またはシートなどを挟んで吸着層４としている。更に、吸着層４は、マスク本体２を構成するガーゼ（複数枚を重ねたもの）を、それらの端部が上になるように二つ折りにしてポケット５を設け、ポケット５に前記液体を塗布または含浸させたガーゼ６（複数枚を重ねたもの）を装着して、ガーゼ２ａ，２ａの間に吸着層４を設けてある。
【００２０】
吸着層４を構成する通気性を有する布またはシートとしては、マスク本体２と同様のガーゼ等を重ねたものを使用することができるが、更に、不織布、連続気泡を有するスポンジ状のものを使用することもできる。
【００２１】
吸着層に塗布または含浸する液体は、沸点が１２０℃以上で低揮発性のものである。塗布または含浸液として沸点が１２０℃以上のものを用いることで、マスク着用時の呼吸により短時間で揮散してしまうことがなく、１０時間以上もの長時間にわたって有害物質や汚染物質の吸入防止効果が持続する。また、塗布または含浸液は、吸着層を通過する吸気により多少は揮散して吸気とともに吸入されることもあるので、刺激性のない無臭な液体で、かつ低毒性の液体を用いることが好ましい。更に、製造のし易さからは、常温でガーゼなどに容易に塗布または含浸させることができる粘度を有する液体であることが好ましい。更に、極寒環境用途にあっては、使用時に凍結せずに液体状態を維持可能な融点を有しているものを用いる必要がある。
【００２２】
前記塗布または含浸用液体としては、例えば植物油、鉱物油、合成油、界面活性剤あるいは塩化ビニル樹脂などの熱可塑性樹脂の可塑剤として使用されるフタル酸エステル類、脂肪族二塩基酸エステル、正リン酸エステル類などが挙げられ、具体例としては、グリセリン、グリコール類、１，３−ブタンジオール、流動パラフィン、ポリオキシエチレンアルキルエーテル、ソルビタン脂肪酸エステル、ポリオキシエチレン脂肪酸エステル等の非イオン界面活性剤、ジブチルセバケート、２−エチルヘキシルジフェニルホスフェート、更にはポリブテンなどが挙げられる。
【００２３】
更に吸着層４の液体に、殺菌剤、抗菌剤、抗ウイルス剤などを含有させておけば、吸着層４に吸着された細菌やウイルスなどを、これらの殺菌剤、抗菌剤、抵ウイルス剤などにより無害化することができる。前記殺菌剤、抗菌剤ｍ抗ウイルス剤としては、公知のものを使用することができる。例えば、インフルエンザの感染、予防に有効なものとしては、抗生物質であるアジスロマイシン水和物、抗Ａ型インフルエンザウイルス剤である塩酸アマンタジン、抗インフルエンザ剤であるザナミビル水和物、同じくリン酸オセルタミビルなどが挙げられる。また結核の感染、予防としては、抗結核化学療法剤であるパラアミノサリチル酸カルシウム、結核化学療法剤であるピラジナミド、同じくイソニアジド、同じくイソニアジドメタスルホン酸ナトリウム、同じく塩酸エタンブトール、同じくエチオナミド、抗結核剤であるアルミノパラアミノサリチル酸カルシウムなどが挙げられる。その他、パラベン、カチオン性界面活性剤なども有効である。これらの殺菌剤などの使用量には特に制限はないが、例えば吸着層４に塗布または含浸する液体１００重量部に対して０．０１〜２０重量部を溶解または分散させて使用する。なお、上記のような殺菌剤は、マスクの使用目的により単独で、または適宜複合して使用することができる。
【００２４】
上記のような本発明に係るマスク１によれば、空気中に浮遊している有害物質や汚染物質が、マスク本体２を構成するガーゼ２ａなどを通過したとしても、吸着層４を通過する際にガーゼ６に塗布または含浸させた液体により吸着、除去されて、有害物質や汚染物質などが吸気とともに鼻孔や口から吸入されることを防止できる。また、吸着層４の液体の沸点が１２０℃以上で低揮発性であるので、マスク本体２を通過する呼吸によっても揮散され難く長時間にわたって効果が持続する。従って、マスク１を着用することで、風邪、インフルエンザなどの病気の感染や花粉症の発症などを予防することができる。また、マスク１は、従来の一般的なガーゼマスクや不織布からなるマスクに吸着層４を設けるだけで簡単に製造することができることから、マスクの素材として特に高機能で高価なものを用いる必要がなく、高機能マスクを比較的廉価に製造することができる。
【００２５】
また、マスク本体２のガーゼ２ａ，２ａの間に、液体を塗布または含浸させたガーゼ６などを挟むことで吸着層４を簡単に設けることができ、更に、図例の如くマスク本体２に設けたポケット５に液体を塗布または含浸させたガーゼ６を装着して吸着層４とすれば、マスク１を簡単に製造できるだけでなく、吸着層４の着脱や交換も簡単であり、更には、異なる液体を塗布または含浸したり、異なる殺菌剤を含む液体などを塗布または含浸したガーゼ６を用意するだけで、多様な吸着層４を設けたマスクを簡単に製造することができる。
【００２６】
なお、図１に示す実施の形態では、ガーゼ２ａからなるマスク本体２にポケット５を設けて液体を塗布または含浸したガーゼ６などを装着して吸着層４としているが、これに限定されるものではなく、マスク本体２を構成する複数層のガーゼの一部に前記のような液体を塗布または含浸してマスク本体２に吸着層４を一体に作製してもよい。この場合、マスク本体２の内層のガーゼを吸着層４として、吸着層４が直接、顔面の鼻や口に接触しないようにすることが好ましい。更に、図２に示すマスク１Ａのように、ガーゼ６などの布体またはシート体などに前記液体を塗布または含浸して形成した吸着層４を、マスク本体２における、顔に当たる内側面に重ね合わせ、その内側にガーゼ７などを更に重ね合わせたり、吸着層４をガーゼ７で包んでマスク本体２の内側に重ねて用いるようにしてもよい。
【００２７】
更に、上記マスク１や１Ａでは、吸着層４を一層のみ設けてあるが、複数層設けてもよく、その場合、各吸着層４に塗布または含浸する液体は、同一であっても、また異なる液体であってもよく、更には、殺菌剤などを含むもの、含まないもの、それを組み合わせたものなど、いずれであってもよい。
【００２８】
また、マスク本体に、前記のような吸着層４に加えて脱臭層を更に設けておけば、空気中の臭気成分なども前記脱臭層に吸着され、吸気とともに吸入されることがない。図３に示すものは、こうしたマスク１０の一実施の形態を示すものである。このマスク１０は、マスク１と同様に、鼻孔及び口を覆うマスク本体１２の両側に、一対の耳掛け部１３、３を設けてあり、従来の一般的なマスクと同様の基本構成を有する。マスク本体１２は、ガーゼ、不織布などの通気性を素材からなり、耳掛け部３、３にはゴム紐などの伸縮性を有する材料が用いられる。そして、このマスク１０では、マスク本体２の内部に、マスク使用時に液体で、且つ沸点が１２０℃以上の液体を塗布または含浸させたガーゼからなる吸着層４と、無機脱臭剤を用いた脱臭層１７を設けてある。図例のマスク１では、マスク本体１２に、上方に開口した２つのポケット１５、１６を設け、内側（顔面に当たる側）のポケット１５に液体を塗布または含浸させたガーゼを装着して吸着層４とし、外側のポケット１６には、無機脱臭剤１８を充填した通気性を有する袋体１９を装着して脱臭層１７を設けてある。
【００２９】
無機脱臭剤１８は特に制限されるものではなく、活性炭、シリカゲル、ゼオライトなどに代表される公知の脱臭吸着能力を有するものを用いることができる。また、無機脱臭剤１８を充填する袋体１９の素材は、通気性を有するものであればよく、例えば、布、不織布などが挙げられる。
【００３０】
このマスク１０によれば、空気中に浮遊している汚染物資や有害物質が、マスク本体２のガーゼなどを通過する際に吸着層４の液体に吸着されることで、鼻孔や口から前記有害物質などが吸入されることを防止でき、且つ前記効果は長時間にわたって持続する。また、吸着層４の液体に殺菌剤、抗菌剤、抗ウイルス剤などを含有させておき、液体に吸着された細菌やウイルスなどを無害化することで、細菌やウイルスに起因する病気の感染をより確実に防止することができるといった、前記マスク１と同様の効果を奏する。更に、このマスク１０の場合には、無機脱臭剤１８を用いた脱臭層１７を設けてあるので、空気中の臭気成分などが脱臭層１７の無機脱臭剤１８に吸着されて防臭効果にも優れたマスクとなる。また、無機脱臭剤１８を用いることで安価に脱臭層を設けることができるし、通気性を有する袋体１９に無機脱臭剤１８を充填してマスク本体１２の間に挟むだけで簡単に脱臭層１７を設けることができる。更に無機脱臭剤を充填した袋体１９をマスク本体２に設けたポケット１６に装着して脱臭層１７とすれば、脱臭層１７を設けたマスク１０を簡単に製造できるだけでなく、脱臭層１７を着脱したり交換したりすることもできる。
【００３１】
また、本発明に係るマスクは、図３に示す実施の形態に限らず、脱臭層１７を、マスク本体１２の内側と外側で吸着層１４の両側に設けることもできる。また、吸着層１４を複数層設けることもできる。この場合、各層の脱臭剤や液体、更には液体に含ませる殺菌剤などの種類は同じであってもよいし、また異なる脱臭剤を用いた脱臭層や、異なる液体、殺菌剤を塗布または含浸した吸着層を組み合わせてもよい。更に、脱臭層１７の袋体１９や液体を塗布または含浸したガーゼなどの吸着層１４を、図２に示すマスク１Ａと同様にして、マスク本体１２の内側に重ね合わせて用いることもできる。
【００３２】
以下、本発明に係るマスクの効果について試験した結果を実験例および実施例として示す。なお、以下の実験例および実施例で使用した薬剤などは下記の表１のとおりである。
【００３３】
【表１】
2005218613.tif 000003
【００３４】
［実験例１］
以下のようにして、本発明に係るマスクの吸着層に用いる各種の液体（薬剤）の特性を調べた。表２に示す各種液体のサンプルを原液のままでガーゼ（７．５×１０ｃｍ、１２枚折り）に塗布し、３７℃、１０時間経過後の状態を調べた。べとつき感は、塗布により判定した。残存率は、塗布時の液体の重量を天秤により測定し、その重量を１００％とし、３７℃、１０時間経過後の重量を測定することにより求めた。臭いは、官能試験により判定した。また、各サンプルの２０℃における粘度も測定した。粘度の測定は、単一円筒型回転粘度計ビスメトロン（型式ＶＧ−Ａ１、(株)安田精機製作所）により実施した。結果を表２に示す。
【００３５】
【表２】
2005218613.tif 000004
【００３６】
［実験例２］
表３に示す水で希釈した液体をガーゼ（７．５×１０ｃｍ、１２枚重ね）に塗布し、３７℃の送風乾燥機内に１０時間設置した後の溶液の残存率と湿り具合を調べた。溶液の残存率（％）は、塗布時の液体の重量を天秤により測定し、その重量を１００％とし、３７℃、１０時間経過後の重量を測定した。また、湿り具合は、指先の感触により判定した。結果を表３に示す。なお、塗布量にバラツキがあるのは、ガーゼに最適な塗布量が各サンプルによって異なるためである。
【００３７】
【表３】
2005218613.tif 000005
【００３８】
表３から分かるように、経時後の液体の残存量及び湿り具合、べとつき感などの点で、吸着層の液体としては、グリセリン−水系、ＰＥＧ−水系が好ましいという結果であった。
【実施例１】
【００３９】
本発明のマスクについて、臭いテストおよび煙テストの効果を行った。使用したマスク、ガーゼおよび不織布を表４に示す。
【００４０】
【表４】
2005218613.tif 000006
【００４１】
（臭いテスト）
(1)  キシレン０．０３ｍｌまたはトルエン０．１ｍｌを５０ｍｌ容量のビーカーに入れ、該ビーカーの開口部に、脱臭剤を間に挟んだマスク、液体を塗布したガーゼまたは不織布、無塗布のガーゼ、ポリエチレンフィルムを順に重ね合わせて開口部を覆い、ゴムバンドで固定した後、室温下、１時間後の臭いを判定した。
(2)  前記液体としては、グリセリンまたはポリエチレングリコール（ＰＥＧ−２００）を使用し、塗布量はいずれも４ｇとした。
(3)  脱臭剤は、活性炭またはゼオライト系脱臭剤（ミズカシーブスＥＸ１２２）を、不織布製のお茶パック（７×８．５ｃｍ）の袋に１ｇ入れ、マスクの間に挟んだ。
(4)  対照として、Ｎ９５マスク（３Ｍ社製）、クリーンラインコーワ（(株)興和ヘルスケアー製）を用いて前記(1)と同様にして試験した。但し、無塗布のガーゼは使用せず、ポリエチレンフィルムのみを重ねてゴムバンドで固定した。
(5)  評価方法
ビーカーからの臭いを、下記表５の基準で点数をつけて数値で判定した。
【００４２】
【表５】
2005218613.tif 000007
【００４３】
（煙テスト）
(1)  ハンディタイプの掃除機の吸引力を、人間の吸引力よりやや強い程度になるように改良し、吸い込み口の先端部に、表４に示すマスク、液体を塗布したガーゼもしくは不織布、およびガーゼを、表６に示すように外側から順番に三層にセットし、吸い込み口に隙間ができないようにビニールテープで固定した。
(2)  蚊取り線香を燃やし、煙の発生場所から約２０ｃｍ上方の位置に前記掃除機の吸い込み口先端のマスクをセットし、１０分間吸引した後、二層目のガーゼもしくは不織布の内面（吸い込み口側の面）の着色状態で判定した。塗布液および脱臭剤は、前記臭いテストの(2)、(3)に記載のものと同じものを使用した。また、判定は、脱臭剤を含んでいないマスクに液体無塗布ガーゼを二層に重ねた比較例１の色の点数を３点とし、それより薄くなるに従って、２点、１点とし、無色の場合を０点とした。また、対照として、前記臭いテストの(4)と同様にＮ９５マスク、クリーンライトコーワを用いた。
【００４４】
上記臭いテストおよび煙テストの結果を表６に示した。
【００４５】
【表６】
2005218613.tif 000008
【００４６】
表６に示すとおり、液体を塗布したガーゼまたは不織布を用いる、更に無機脱臭剤を併用することで、キシレン、トルエンなどの揮発性成分や煙の透過量を減少させることができ、本発明に係るマスクの効果が明らかとなった。
【産業上の利用可能性】
【００４７】
本発明のマスクは、従来の一般的なマスクと同様に、鼻孔及び口を被覆した状態で装着するだけで、空気中に浮遊する粉塵、細菌、ウイルスなどの病原菌など、更には花粉などの有害物質や汚染物質が吸気とともに吸入することを効果的に防止して、前記有害物質や汚染物質などに起因する障害、病気の感染、花粉症の発症などを予防することができ、家庭、職場、病院、介護施設など、あらゆる場所において使用可能である。
【図面の簡単な説明】
【００４８】
【図１】本発明に係るマスクの一実施形態を示す、一部を破断した斜視図である。
【図２】本発明に係るマスクの他の実施形態を示す、一部を破断した斜視図である。
【図３】本発明に係るマスクの更に他の実施形態を示す、一部を破断した斜視図である。
【符号の説明】
【００４９】
１、１Ａ  マスク
２  マスク本体
２ａ  ガーゼ
３  耳掛け部
４  吸着層
５  ポケット
６  ガーゼ
７  ガーゼ
１０  マスク
１２  マスク本体
１３  耳掛け部
１４  吸着層
１５  ポケット
１６  ポケット
１８  無機脱臭剤
【図１】
2005218613.tif 000009
【図２】
2005218613.tif 000010
【図３】
2005218613.tif 000011